(57)【特許請求の範囲】
【請求項１】
ワイヤレス通信ネットワークから通信デバイスにおいてデータを受信する方法であって、該方法は：
ワイヤレスアクセスインターフェースを介して前記通信デバイスにおいて前記ワイヤレス通信ネットワークから送信されるデータシンボルを受信すること、前記ワイヤレスアクセスインターフェースは、時間において複数の時分割無線フレームへ分割されているシステム帯域幅にわたる複数の通信リソースエレメントを提供し、
前記ワイヤレスアクセスインターフェースが、仮想キャリアを形成する前記システム帯域幅内において前記ワイヤレス通信ネットワークに属するインフラ設備により送信されるデータを表す信号を受信するためのケイパビリティが低減された通信デバイスへの、通信リソースの割当のための第１の周波数帯域幅内における通信リソースエレメントの第１の区分を提供すること、
を有し、
前記ケイパビリティが低減された通信デバイスはそれぞれが第１の周波数帯域幅より大きいまたは等しいが、システム帯域幅よりも小さい受信機帯域幅を有し、
ここで、データシンボルを受信することは、
１以上の無線フレームにおいて通信リソースエレメントの第１のサブセットからデータシンボルを受信すること、および
各無線フレームにおいて通信リソースエレメントの第２のサブセットから共通リファレンスシンボルを受信すること、を有し、共通リファレンスシンボルは第１の送信出力で送信され、および前記データシンボルは第２の送信出力で前記仮想キャリアを介して送信され、ならびにここで、前記方法はさらに、
前記第２の送信出力で前記仮想キャリアの前記通信リソースエレメントを介して送信された固有リファレンスシンボルを受信すること；
前記第２の送信出力および前記第１の送信出力の間における出力の差を決定すること、および
前記出力の差が実質的に閾値を超える場合、前記仮想キャリアから受信した前記固有リファレンスシンボルのみ用いてチャネル推定を生成すること、を有する、方法。
【請求項２】
前記仮想キャリア外部のデータシンボルは、前記第１の送信出力で送信される、請求項１に記載の方法。
【請求項３】
前記出力の差が前記閾値を超えない場合、前記共通リファレンスシンボルおよび前記固有リファレンスシンボルの両方を用いてチャネル推定を生成し、その結果共通リファレンスシンボル単独を用いた前記チャネル推定手順と比較して前記チャネル推定を改善する、請求項１または請求項２に記載の方法。
【請求項４】
前記チャネル推定を生成するステップは、各シンボル中の相対送信出力に応じて異なるように前記共通リファレンスシンボルおよび前記固有リファレンスシンボルに重みづけすることを含む、請求項３に記載の方法。
【請求項５】
前記送信出力の差は、前記仮想キャリア内における送信出力の瞬間的な増加に起因し、その結果前記送信出力が特定の通信デバイスについてブーストされる、請求項１〜４のいずれか一項に記載の方法。
【請求項６】
ワイヤレス通信ネットワークの部分を形成するインフラ設備から受信するデータからチャネル推定を生成するための通信デバイスであって、該デバイスは：
ワイヤレスアクセスインターフェースを介してデータを受信するために動作する受信機ユニット、前記ワイヤレスアクセスインターフェースは時間で分割されて複数の時分割無線フレームを形成しているシステム帯域幅にわたる複数の通信リソースエレメントを提供し、および
前記受信機ユニットが、仮想キャリアを形成する前記システム帯域幅内において前記インフラ設備により送信されるデータを表す信号を受信するためのケイパビリティが低減された通信デバイスへの、通信リソースの割当のための第１の周波数帯域幅内における通信リソースエレメントの第１の区分を受信するように制御するように構成されたコントローラ、を有し、前記ケイパビリティが低減された通信デバイスはそれぞれが前記第１の周波数帯域幅より大きいまたは等しいが、システム帯域幅よりも小さい受信機帯域幅を有し、
ここで、前記コントローラは、前記受信機ユニットと組み合わせて
１以上の前記時分割無線フレームにおける前記通信リソースエレメントの第１のサブセットにおけるデータシンボルを受信し、および
各時分割無線フレームにおける前記通信リソースエレメントの第２のサブセットにおける共通リファレンスシンボルを受信するように構成されており、前記第２のサブセットは第１の送信出力を有し；ならびに
前記仮想キャリアにおける前記データシンボルは、第２の送信出力で送信され、
前記コントローラは、前記受信機ユニットと組み合わせてさらに、前記仮想キャリアの前記通信リソースエレメントにおいて前記第２の送信出力で送信される固有リファレンスシンボルを受信するように構成されており；ならびに
前記コントローラは、さらに、前記第２の送信出力および前記第１の送信出力の間における出力の差を決定するように、および前記出力の差が実質的に閾値を超える場合、前記固有リファレンスシンボルのみを用いて第１の区分内の周波数についてのチャネル推定を生成するように構成されている、通信デバイス。
【発明の詳細な説明】
【技術分野】
【０００１】
本発明は、ワイヤレス通信システムにおいてモバイル端末へデータを送信するためのおよび／またはモバイル端末からデータを受信するための電気通信装置、方法、システムおよび装置に関する。本技術の実施形態の例は、選択される送信において出力の水準を変えるための設備を提供することができる。
【０００２】
ワイヤレス通信ネットワーク内のカバレッジならびに基地局（例えばｅＮｏｄｅＢ）および／またはネットワークコントローラ（例えば、ＲＮＣ、ｅＮｏｄｅＢ）などのインフラ設備からユーザ機器（ＵＥ−すなわちワイヤレス通信デバイス）へ送信される信号の出力の間には、近似相関がある。
【０００３】
インフラ設備およびユーザ機器（ＵＥ）の間の距離は、ＵＥでインフラ設備から受信する信号における出力を決定する主要因である。ＵＥおよびインフラ設備がさらに離れて位置すると、信号は、減衰した信号が周辺ノイズと同じオーダーの出力水準を有する時点までより大きな減衰を受けるであろう。
【０００４】
ＵＥの位置もまた、送信出力が十分であるかを決定し得る。室内または地下に位置するＵＥは、顕著な減衰を受ける：インフラ設備の所定の半径距離内にあることは、必要条件であり得るが、十分ではない。
【０００５】
第３および第４世代セルラーネットワークの予想される広範な配備は、利用可能な高いデータレートを利用するよりはむしろ代わりに、強固な無線インターフェースおよびカバレッジエリアの拡大する偏在性を利用するデバイスおよびアプリケーションのクラスの並列開発を導いた。このデバイスおよびアプリケーションの並列なクラスは、ＭＴＣデバイスおよびいわゆるマシンツーマシン（Ｍ２Ｍ）アプリケーションを含み、ここで準自律的または自律的なワイヤレス通信デバイスは、典型的に比較的低頻度の基準で少量のデータを通信する。
【０００６】
スマートフォンなどの従来の第３または第４世代端末デバイスとは異なり、ＭＴＣ型端末は好ましくは比較的単純であり安価である：加えてＭＴＣデバイスは、しばしば直接の保守および交換のために容易にアクセスをする余裕のない状況において配備される‐信頼性があり、効率的な動作が重大であり得る。さらにＭＴＣ型端末によって行われる機能のタイプ（例えばデータを収集し折り返し報告する）は、実行するのに特に複雑な処理を必要としない一方で、第３および第４世代モバイル電気通信ネットワークは、実行するのにより複雑で高価な無線送受信機を必要とする高度なデータ変調技術（１６ＱＡＭまたは６４ＱＡＭなど）を典型的に無線インターフェース上で採用する。
【０００７】
ＭＴＣデバイスなどの低ケイパビリティ端末に調整された「仮想キャリア」は、したがって、従来のＯＦＤＭ型ダウンリンクキャリア（すなわち「ホストキャリア」）の送信リソース内に提供される。従来のＯＦＤＭ型ダウンリンクキャリア上で送信されるデータとは異なり、仮想キャリア上で送信されるデータは、サブフレームの少なくともいくらかの部分について、ダウンリンクホストＯＦＤＭキャリアの全帯域幅を処理する必要なく受信され、復号されることができる。したがって、仮想キャリア上で送信されるデータは、複雑さが低減された受信機ユニットを用いて受信され、復号されることができる。
【０００８】
上述したように、ＭＴＣデバイスの性質は、インフラ設備への半径距離のみが信号の減衰についての有意な要因ではない位置におけるこれらの配置へ通じ得る。このようなデバイスについてのカバレッジを改善するために、より高い送信出力でシグナリングを提供することが望ましいであろう。カバレッジは、その結果、ＭＴＣデバイスが信号を受信することができる十分に高い出力でデータが送信されることを保証することにより、拡張されることができる。
【０００９】
しかしながらチャネル推定を可能にするために、ＬＴＥは、リファレンスまたはパイロットシンボルとして知られるあるシンボルの送信出力を当てにする。チャネル推定は、フレームにおける全ての位置での大よそのチャネル特性が推定されることができるように、無線フレームにおける、ある、所定の位置（すなわち時間および／または周波数）でのチャネル特性（複素利得など）を測定するための機能をいう。チャネル推定は、同様に、全てのチャネル上のノイズの効果を均一化するのに用いられる。
【００１０】
リファレンス信号の送信出力がチャネル推定において測定されるチャネル特性のひとつであるため、これらのリファレンス信号は、チャネル推定および続く均一化機能を中断させることなく異なる出力で送信されることができない。より大きな減衰を経るＵＥ（地下室に設置されたＭＴＣデバイスなど）について、これは、チャネル推定のためにリファレンスシンボルが不十分になる程度まで、リファレンスシンボルが減衰する状況をもたらす。
【発明の概要】
【００１１】
本発明の第１の側面によれば、ワイヤレス通信ネットワークから通信デバイスにおいてデータを受信する方法であって、該方法は：ワイヤレスアクセスインターフェースを介して前記通信デバイスにおいて前記ワイヤレス通信ネットワークから送信されるデータシンボルを受信すること、前記ワイヤレスアクセスインターフェースは、時間において複数の時分割無線フレームへ分割されているシステム帯域幅にわたる複数の通信リソースエレメントを提供し、前記ワイヤレスアクセスインターフェースが、前記システム帯域幅内において、好ましくは仮想キャリアを形成する第１の周波数帯域幅内においてインフラ設備により送信されるデータを表す信号を受信するためのケイパビリティが低減された通信デバイスへの、割当のための第１の周波数帯域幅内における通信リソースエレメントの第１の区分を提供すること、前記ケイパビリティが低減された通信デバイスはそれぞれが第１の周波数帯域幅より大きいまたは等しいが、システム帯域幅よりも小さい受信帯域幅を有する、を有し、ここで、データシンボルを受信することは、１以上の無線フレームにおいてリソースエレメントの第１のサブセットからデータシンボルを受信すること、および各無線フレームにおいてリソースエレメントの第２のサブセットから共通リファレンスシンボルを受信すること、を有し、共通リファレンスシンボルは第１の送信出力で送信され、および前記データシンボル第２の送信出力で前記仮想キャリアを介して送信され、ならびにここで、前記方法はさらに、前記第２の送信出力で前記仮想キャリアの前記リソースエレメントを介して送信された固有リファレンスシンボルを受信すること；前記第２の送信出力および前記第１の送信出力の間における出力の差を決定すること、および前記出力の差が実質的に閾値を超える場合、前記仮想キャリアから受信した前記固有リファレンスシンボルのみ用いてチャネル推定を生成すること、を有する、方法が提供される。
【００１２】
ケイパビリティが低減されたデバイスに、モバイル通信ネットワークのホストキャリアの全帯域幅を用いて通信することのできる通信デバイスへの通信リソースの割当よりも、通信リソースの第１、第２の区分の通信リソースが優先されるという意味で、ワイヤレス通信ネットワークは好ましくは（すなわち優先的に）前記通信リソースをケイパビリティが低減されたデバイスに割り当てる。一例において、第１の仮想キャリアを形成する通信リソースの第１の区分が、ケイパビリティが低減されたデバイスのみへの割当に予約されるが、他の例において、ケイパビリティが低減されたデバイスからの通信リソースの要求が、割り当てられていない通信リソースのいくらかを残す場合、第１の仮想キャリアの第１の区分の通信リソースのいくらかは、完全なケイパビリティの通信デバイスへ割り当てられ得る。
【００１３】
本発明の様々なさらなる側面および実施形態が、添付の独立および従属請求項において提供される。
本発明の第１および他の側面に関連して上述された本発明の特徴および側面は、必要に応じて、本発明の異なる側面に係る発明の実施形態に均等に適用可能であり、上述した具体的な組み合わせにおいてのみならず、必要に応じて本発明の異なる側面に係る発明の実施形態と組み合わされ得る。さらに従属請求項の特徴は、特許請求の範囲に明確に規定された特徴以外と組み合わせて、独立請求項の特徴と組み合わされ得る。
【図面の簡単な説明】
【００１４】
本発明の実施形態は、これから添付する図面を参照しながら例としてのみ説明され、類似部分は対応する参照番号が付されており、ここで：
【図１】図１Ａ、１Ｂおよび１Ｃは、従来のモバイル電気通信ネットワークのある機能要素を概略的に説明する。
【図２】図２は、従来のＬＴＥ無線フレームを説明する概略図を提供する。
【図３】図３は、従来のＬＴＥダウンリンク無線サブフレームの例を説明する概略図を提供する。
【図４】図４は、狭帯域の仮想キャリアが挿入されたＬＴＥダウンリンク無線サブフレームの例を説明する概略図を提供する。
【図５】図５Ａおよび５Ｂは、ブーストされた（boosted）送信出力で狭帯域の仮想キャリアが挿入されたサブフレームを説明する。
【図６】図６は、ダウンリンク無線サブフレームにおける一対のリソースブロックにおけるリソースエレメントを説明する概略図を提供する。
【図７】図７Ａおよび７Ｂは、それぞれ狭帯域の仮想キャリアに仮想キャリア内のデータシンボルの出力ブースト(boosting)を提供するまたは提供しないサブキャリアを含む複数のサブキャリアの送信出力を対比する。
【図８】図８は、狭帯域の仮想キャリアに仮想キャリア内のデータシンボルの出力ブーストおよびユーザ固有リファレンスシンボルの挿入を提供するサブキャリアを含む複数のサブキャリアの相対送信出力を概略的に説明する。
【図９】図９は、ユーザ固有リファレンスシンボルを挿入するかを決定するインフラ設備の動作を概略的に示す。
【図１０】図１０は、ユーザ機器の動作を概略的に示し、ユーザ固有リファレンスシンボルのみまたは共通およびユーザ固有リファレンスシンボルの組み合わせをチャネル推定の生成に用いるかを決定するのにおいて、ユーザ固有リファレンスシンボルに加えて共通リファレンスシンボルがある。
【発明を実施するための形態】
【００１５】
図１Ａは、例えばロングタームエボリューション（ＬＴＥ）アーキテクチャを用いた、従来のモバイル電気通信ネットワークのある基本的な機能を説明する概略図を提供する。
【００１６】
ネットワークは、コアネットワーク１１０（点線の四角中）に接続された複数の基地局１０４（簡潔のため１つのみ示される）を含む。各基地局１０４は、カバレッジエリア（すなわち、セル）を提供し、カバレッジエリア内では端末デバイス（また、モバイル端末、ＭＴまたはユーザ機器、ＵＥとしても言及される）１０２に、および、からデータが通信されることができる。データは、無線ダウンリンク１２４を介して基地局１０４からそれらの各々のカバレッジエリア内の端末デバイス１０２に送信される。データは、無線アップリンク１２２を介して端末デバイス１０２から基地局１０４に送信される。
【００１７】
コアネットワーク１１０は、各々の基地局１０４を介して、端末デバイス１０２へまたは端末デバイス１０４からのデータをルーティングし、認証、モビリティ管理、料金請求等のような機能を提供する。コアネットワークにおける典型的なエンティティは、モビリティ管理エンティティ、ＭＭＥ１０６およびサブスクライバデータベース（ＨＳＳ）１０８を含む：これらのエンティティは、ＵＥがネットワークのカバレッジのどこに位置しているかに関わらずＵＥに対する通信サービスの提供を容易にする。データサービスへのアクセスが、サービングゲートウェイ１１２およびパケットデータネットワーク、ＰＤＮ、ゲートウェイ１１４により提供される。
【００１８】
図１Ａは、また、ネットワークをマシンタイプコミュニケーション（ＭＴＣ）デバイスの効率的な管理を可能にするために拡張する要素を示す。図示のコアネットワーク１１０は、ＭＴＣサーバ１１６を組み込んでいる。任意のＭＴＣゲートウェイ１２０がまた、図１Ａにおいて示されている：このようなゲートウェイは、ハブターミナルデバイスを提供し得、ハブターミナルデバイスは、１以上のＭＴＣデバイスと通信中であり、および次いで接続されたＭＴＣデバイスのために基地局１０４とのアップリンクおよび／またはダウンリンク通信経路を確立する。
【００１９】
図１Ｂに説明されるように、ＵＥ１０２は、受信経路を提供するある機能ブロックを有する。無線ダウンリンク１２４における信号は、アンテナ配列１４２で受信され、無線周波数受信機ユニット１３０を介して同期およびダウンコンバートブロック１３２へ送られる。無線周波数受信機ユニット１３０は典型的にアンテナ配列１４２からの受信した信号を増幅する低雑音増幅器（ＬＮＡ）を含む。同期およびダウンコンバートブロック１３２は、ＲＦ信号をベースバンド（ＢＢ）信号に変換する。適切なダウンコンバート（例えば、直接変換、スーパーヘテロダインなど）を提供するために、様々な受信機アーキテクチャが採用され得る。同期およびダウンコンバートブロック１３２は、また、典型的に復調のためにクロックを再生する局部発信機（ＬＯ）およびアナログ信号をベースバンド回路において処理するためのデジタル信号に変換するアナログ・デジタル変換回路を含む。
【００２０】
ベースバンド処理機能は、コントローラ１４０において制御される。同期されダウンコンバートされたデジタル信号は、復調機ユニット１３４（例えば高速逆フーリエ変換ユニット）において復調され、およびイコライザユニット１４６へ移動する。コントローラユニット１４０は、同期されダウンコンバートされたデジタル信号を、ならびにイコライザユニット１３６により出力された均一化された信号を入力として受け入れる。コントローラは、リファレンス信号処理ユニット１４６が適切なリファレンス信号の特定を指示するのを、および必要であれば、復調機ユニット１３４により出力された復調された信号からの仮想リファレンス信号の生成を制御する。チャネル推定機ユニット１４８は、リファレンス信号処理ユニット１４６において特定されたリファレンス信号の無線特性から、受信した信号中の全てのチャネルについての推定された特性を生成する。イコライザユニット１３６は、次いでチャネル推定を用い、均一化された信号を生成する。均一化された信号は、次いでチャネル復号のためのプロトコル回路へ渡される。
【００２１】
基地局１０４などのインフラ設備は、図１Ｃにおいて説明されるように、ダウンリンク１２４送信のための信号の準備において必要とされるある機能ブロックを有する。特に、基地局は無線信号を送信する無線アンテナ配列１４４を含む。典型的に１より多いアンテナ要素が、ダイバーシティ／ＭＩＭＯ送信について供される。無線周波数ブロック１５４は、アンテナ配列１４４による送信のための信号を供する。典型的には、それは送信のための信号に利得を適用する増幅器および必要に応じＢＢからＲＦへアップコンバートするＲＦ送受信機を含むであろう。チャネル符号化／復号、変調／復調、チャネル推定、均一化などの機能を供するベースバンド回路は、測定されたまたは所定の無線特性に基づいてＵＥについてのダウンリンクデータをスケジューリングするスケジューラ１５２およびスケジューラ１５２の動作を決定するコントローラユニット１５０を含む。
【００２２】
３ＧＰＰに規定されたロングタームエボリューション（ＬＴＥ）アーキテクチャに従い設置されるものなどのモバイル電気通信システムにおいて、基地局（例えばｅＮｏｄｅＢ  １０４）および通信端末（例えば、ＵＥ１０２、ＭＴＣゲートウェイ１２０）の間の通信は、ワイヤレス無線インターフェース、Ｕｕを通じて行われる。Ｕｕインターフェース上のダウンリンク１２４は、直交周波数分割多重接続（ＯＦＤＭＡ）技術を用い、アップリンク１２２は、シングルキャリア周波数分割多重接続（ＳＣ−ＦＭＤＡ）技術を用いる。両方の場合において、システム帯域幅は、複数の「サブキャリア」（それぞれ１５ｋＨｚを占める）へ分割されている。
【００２３】
ダウンリンクＵｕインターフェースは、「フレーム」構造を用いて、リソースを時間で構造化する。ダウンリンク無線フレームは、ｅＮｏｄｅ  Ｂから送信され、１０ｍｓ持続する。図２に示されるようにダウンリンク無線フレーム２０４は、１０個のサブフレームを有し、各サブフレームは１ｍｓ持続する。サブフレームは、同様にそれぞれが各１／１４ｍｓの期間に渡り送信される、所定数の「シンボル」を有する。各シンボルは、所定数のダウンリンク無線キャリアの帯域幅の全域にわたって分散された所定数の直交サブキャリアを有する。ここで、水平軸は、時間を表し、垂直は周波数を表す。
【００２４】
ＬＴＥにおける送信のためのユーザデータの最も小さい割当は、１スロット（０．５サブフレーム）にわたり送信される１２個のサブキャリアを有する「リソースブロック」である。図３におけるサブフレームグリッド中の各個のボックスは、１のシンボルで送信される１２のサブキャリアに対応する。
【００２５】
図３は、４つのＬＴＥ端末に対する準備段階のリソース割当て３４０、３４１、３４２、３４３を示す。例えば、第１のＬＴＥ端末（ＵＥ１）に対するリソース割当て３４２は、１２のサブキャリアの５のブロック（すなわち６０のサブキャリア）にまたがって広がっており、第２のＬＴＥ端末（ＵＥ２）に対するリソース割当て３４３は１２のサブキャリアの６のブロックにまたがって広がっている、等である。
【００２６】
制御チャネルデータは、サブフレームの第１のｎシンボルを有するサブフレームの制御領域３００（図３において点のシェーディングにより示される）において送信され、ｎは３ＭＨｚまたは３ＭＨｚより大きいチャネル帯域幅について１から３のシンボル間で変化し得、ｎは１．４ＭＨｚのチャネル帯域幅について２から４のシンボル間で変化し得る。明確な例を提供するために、次の記載は、ｎの最大値を３とするような３ＭＨｚまたは３ＭＨｚより大きいチャネル帯域幅のホストキャリアに関係する。制御領域３００において送信されるデータは、物理下り制御チャネル（ＰＤＣＣＨ）、物理制御フォーマット指示チャネル（ＰＣＦＩＣＨ）および物理ＨＡＲＱ指示チャネル（ＰＨＩＣＨ）上で送信されるデータを含む。
【００２７】
ＰＤＣＣＨは、サブフレームのどのシンボル上のどのサブキャリアが特定のＬＴＥ端末に割当てられているかを示す制御データを含む。そのため、図３で示されるサブフレームの制御領域３００において送信されるＰＤＣＣＨデータは、ＵＥ１は参照番号３４２により特定されるリソースのブロックに割当てられ、ＵＥ２は参照番号３４３により特定されるリソースのブロックに割当てられた、などを示し得る。
【００２８】
ＰＣＦＩＣＨは、制御領域のサイズ（典型的に１から３の間のシンボル、しかし１．４ＭＨｚのチャネル帯域幅をサポートするために４つのシンボルが考えられる）を示す制御データを含む。
ＰＨＩＣＨは、前に送信されたアップリンクデータがネットワークによって首尾よく受信されたか否かを示すＨＡＲＱ（ハイブリッド自動要求）データを含む。
【００２９】
時間周波数リソースグリッドの中央帯３１０におけるシンボルは、プライマリ同期信号（ＰＳＳ）、セカンダリ同期信号（ＳＳＳ）および物理ブロードキャストチャネル（ＰＢＣＨ）を含む情報の送信に使われる。この中央帯３１０は、典型的には７２のサブキャリアの広さ（１．０８ＭＨｚの送信帯域幅に相当）である。ＰＳＳおよびＳＳＳは、一旦検出されると、ＬＴＥ端末デバイスがフレーム同期を得、ダウンリンク信号を送信する改良されたＮｏｄｅ  Ｂのセル識別を決定することを可能とする同期信号である。ＰＢＣＨは、ＬＴＥ端末がセルに適切にアクセスするために使用するパラメータを含むマスタ情報ブロック（ＭＩＢ）を含むセルに関する情報を搬送する。物理下り共有チャネル（ＰＤＳＣＨ）上で個別のＬＴＥ端末に送信されるデータは、サブフレームの他のリソースエレメントにおいて送信され得る。これらのチャネルのさらなる説明が、以下に提供される。
【００３０】
図３はまた、システム情報を含み、Ｒ３４４の帯域幅に広がるＰＤＳＣＨ  ３４４の領域を示す。従来のＬＴＥ無線フレームは、また、さらに以下で議論されるが明確性の理由から図３において示されていないリファレンス信号を含むであろう。
【００３１】
ＬＴＥチャネルにおけるサブキャリアの数は、送信ネットワークの構成に応じて変化し得る。典型的に、この変形は、（図３において概略的に示されるように）１．４ＭＨｚのチャネル帯域幅内に含まれる７２サブキャリアから２０ＭＨｚのチャネル帯域幅内に含まれる１２００サブキャリアまでである。当技術分野で知られているように、ＰＤＣＣＨ、ＰＣＦＩＣＨおよびＰＨＩＣＨ上で送信されるデータは、典型的にサブフレームの全帯域幅に渡るサブキャリア上に分散し、周波数ダイバーシティをもたらす。したがって、従来のＬＴＥ端末は、制御領域を受信し、復号するために全チャネル帯域幅を受信することができなければならない。
【００３２】
上述したように、第３および第４世代ネットワークの予想される広範な配備は、利用可能な高いデータレートを利用するよりはむしろ代わりに、強固な無線インターフェースおよびカバレッジエリアの拡大する偏在性を利用するデバイスおよびアプリケーションのクラスの並列開発を導いた。このデバイスおよびアプリケーションの並列なクラスは、ＭＴＣデバイスおよびいわゆるマシンツーマシン（Ｍ２Ｍ）アプリケーションを含み、ここで準自律的または自律的なワイヤレス通信デバイスは、典型的に比較的低頻度の基準で少量のデータを通信する。
【００３３】
ＭＴＣ（およびＭ２Ｍ）デバイスの例は：例えば、消費者の家に設置され、消費者のガス、水道、電気などの消費者の公共サービスの消費に関するデータを中央ＭＴＣサーバデータに定期的に情報を返信する、いわゆるスマートメータ；輸送および物流追跡、道路通行料徴収および監視システムなどの「追跡(track  and  trace)」アプリケーション；ＭＴＣ対応センサ、照明、診断器具などを有する遠隔保守および制御システム；環境モニタリング；店頭支払いシステムおよび自動販売機；セキュリティシステムなどを含む。
【００３４】
ＭＣＴ型デバイスの特徴についてのさらなる情報およびＭＴＣデバイスが適用し得る用途のさらなる例は、例えば、ＥＴＳＩ  ＴＳ  １２２  ３６８  Ｖ１０．５３０（２０１１−０７）／３ＧＰＰ  ＴＳ  ２２．３６８  バージョン  １０.５．０  リリース１０［１］などの対応する標準において見出される。
【００３５】
ＭＴＣ型端末などの端末にとって第３または第４世代モバイル電気通信ネットワークにより提供される広いカバレッジエリアを使用することは都合がよくなり得るものの、現在、達成した配備に対する不利益および試みが存在する。スマートフォンなどの従来の第３または第４世代端末デバイスとは異なり、ＭＴＣ型端末は好ましくは比較的単純であり安価である：加えてＭＴＣデバイスは、しばしば直接の保守および交換のためには容易にアクセスをする余裕のない状況において配備される‐信頼性があり、効率的な動作が重大であり得る。さらにＭＴＣ型端末によって行われる機能のタイプ（例えばデータを収集し折り返し報告する）は、実行するのに特に複雑な処理を必要としない一方で、第３および第４世代モバイル電気通信ネットワークは、実行するのにより複雑で高価な無線送受信機を必要とする高度なデータ変調技術（１６ＱＡＭまたは６４ＱＡＭなど）を典型的に無線インターフェース上で採用する。
【００３６】
スマートフォンは、典型的なスマートフォン型の機能を実行するために強力なプロセッサを典型的に必要とするであろうから、スマートフォン中にそのような複雑な送受信機を含めることが大抵正当化される。しかしながら、上で示したように、現在、ＬＴＥ型ネットワークを用いて通信するために比較的低廉でより複雑でないデバイスを使用するという要求がある。異なる動作機能を有するデバイスへのネットワークアクセシビリティ、例えば縮小された帯域幅動作、を提供するというこの原動力と並行して、そのようなデバイスをサポートする電気通信システムにおける利用可能な帯域幅の使用を最適化するという要求がある。
【００３７】
多くの状況において、全キャリア帯域幅にわたるＬＴＥダウンリンクフレームからデータを受信し処理（制御）することのできる従来の高性能ＬＴＥ受信機ユニットをこれらのような低ケイパビリティ端末に提供することは、少量のデータを通信する必要のみあるデバイスにとって過度に複雑であり得る。これは、したがって、ＬＴＥネットワークにおける低ケイパビリティＭＴＣ型デバイスの広範な配備の実用性を制限し得る。その代わりに、ＭＴＣデバイスなどの低ケイパビリティ端末に、端末へ送信されそうなデータの量により釣り合った、より単純な受信機ユニットを提供することが好ましい。
【００３８】
ＭＴＣデバイスなどの低ケイパビリティ端末に調整された「仮想キャリア」は、したがって、従来のＯＦＤＭ型ダウンリンクキャリア（すなわち「ホストキャリア」）の送信リソース内に提供される。従来のＯＦＤＭ型ダウンリンクキャリア上で送信されるデータとは異なり、仮想キャリア上で送信されるデータは、ホストＯＦＤＭキャリアの全帯域幅を処理することを必要とすることなく、サブフレームの少なくともいくらかについて受信され、復号されることができる。したがって、仮想キャリア上で送信されるデータは、複雑さが低減された受信機ユニットを用いて受信され、復号されることができる。
【００３９】
用語「仮想キャリア」は、本質的に、ＯＦＤＭに基づく無線アクセス技術（ＷｉＭＡＸまたはＬＴＥなど）のためのホストキャリア内のＭＴＣ型デバイスのための狭帯域キャリアに対応する。
【００４０】
仮想キャリア概念は、多数の同時係属特許出願（英国特許出願１１０１９７０．０［２］、英国特許出願１１０１９８１．７［３］、英国特許出願１１０１９６６．８［４］、英国特許出願１１０１９８３．３［５］、英国特許出願１１０１８５３．８［６］、英国特許出願１１０１９８２．５［７］、英国特許出願１１０１９８０．９［８］および英国特許出願１１０１９７２．６［９］を含む）において記載されており、その文脈は参照によりここに組み込まれる。しかしながら、参照しやすいように、付属文書１において仮想キャリアの概念のある側面の概説が提示されている。
【００４１】
図４は、仮想キャリア４０６の例が導入された、上に議論した確立されたＬＴＥ標準に従う任意のダウンリンクサブフレームを概略的に表す。サブフレームは、本質的に図３において表されたものの簡略化されたバージョンである。したがって、上において議論したように、再度サブフレームは、上において議論したＰＣＦＩＣＨ、ＰＨＩＣＨおよび」ＰＤＣＣＨチャネルをサポートする制御領域４００および各端末デバイスへより高い層のデータ（例えば、ユーザープレーンデータおよび非物理層制御プレーンシグナリング）を通信するためのＰＤＳＣＨ領域４０２、ならびにやはり上に議論されたシステム情報を含む。具体的な例を与える目的で、サブフレームが関連するキャリアの周波数帯域幅（ＢＷ）は、２０ＭＨｚであるとみなされる。また、ＰＤＳＣＨダウンリンクアロケーション４０４の例が、黒色のシェーディングにより図４において概略的に示される。定義された標準によると、および上に議論したように、個別の端末デバイスは、サブフレームの制御領域４００において送信されるＰＤＣＣＨからサブフレームについてのそれらの固有ダウンリンクアロケーションを導き出す。
【００４２】
全ＰＤＳＣＨ帯域幅に渡る範囲の利用可能なＰＤＳＣＨリソースのサブセットが、任意の与えられたサブフレームにおいてＵＥへ割り当てられ得る従来のＬＴＥ配置と対比してみると、図４のＴ形状配置において、ＭＴＣデバイスは、仮想キャリアに対応する前もって確立された制限された周波数帯４０６内のみのＰＤＳＣＨリソースに割り当てられ得る。
したがって、ＭＴＣデバイスは、それぞれそのサブフレームからこれらの自身のデータを識別し、抽出するために、サブフレームにおいて含まれる全てのＰＤＳＣＨリソースの小さな区分をバッファし、処理することのみ必要である。
【００４３】
例えばＬＴＥにおけるＰＤＳＣＨ上で、基地局から端末デバイスへ通信するのに用いられる前もって確立された制限された周波数帯は、したがって、例えばＬＴＥにおけるＰＤＣＣＨ上で物理層制御情報を通信するために用いられる全体のシステム周波数帯（キャリア帯域幅）よりも狭い。結果として、基地局は、制限された周波数帯内のみのＰＤＳＣＨ上で端末デバイスのためのダウンリンクリソースを割り当てるように構成され得る。端末デバイスは、制限された周波数帯内にＰＤＳＣＨリソースが割り当てられるのみであることを予め知っているため、端末デバイスは、予め定められた制限された周波数帯外部から任意のＰＤＳＣＨリソースをバッファして処理する必要がない。
【００４４】
この例において、基地局およびＭＴＣデバイスは、共に、データが（帯域幅Δｆを有する）上部および下部周波数ｆ１およびｆ２により定められる制限された周波数内のみに基地局からＭＴＣデバイスへ通信されるように予め確立されていたとみなされる。この例において、制限された周波数帯は、全体のシステム（キャリア）周波数帯ＢＷの中央部分を包含する。具体的な例のために、制限された周波数帯は、ここでは１．４ＭＨｚの帯域幅（Δｆ）を有し、全体のシステム帯域幅上の中心にあるとみなされる（すなわちｆ１＝ｆｃ−Δｆ／２およびｆ２＝ｆｃ＋Δｆ／２、ここで、ｆｃは、システム周波数帯の中心周波数である）。
【００４５】
図４は、シェーディングで、各サブフレームの部分を表し、ＭＴＣデバイスは、当該部分についての処理の準備が整っているリソースエレメントをバッファするように構成されている。各サブフレームのバッファされた部分は、上で議論したようにＰＣＦＩＣＨ、ＰＨＩＣＨおよびＰＤＣＣＨチャネルなどの従来の物理層制御情報をサポートする制御領域４００ならびに制限されたＰＤＳＣＨ領域４０６を含む。バッファされる物理層制御領域４００は、任意の従来のＵＥによりバッファされる物理層制御領域と同じリソースにある。しかしながら、ＭＴＣデバイスによりバッファされるＰＤＳＣＨ領域４０６は、従来のＵＥ１０２によりバッファされるＰＤＳＣＨ領域よりも小さい。これは、上述したように、ＭＴＣデバイスに、サブフレームに含まれる全体のＰＤＳＣＨリソースの小さなフラクションを占める制限された周波数帯内のみのＰＤＳＣＨが割り当てられているため、可能である。
【００４６】
したがって、ＭＴＣデバイスは、まず第一に、サブフレームにおける制御領域４００全体および制限された周波数帯４０６全体を受信し、バッファするであろう。ＭＴＣデバイスは、次いで、ＰＤＣＣＨを復号するために制御領域４００を処理して、どのようなリソースが制限された周波数帯内のＰＤＳＣＨ上に割り当てられているかを決定し、次いで制限された周波数帯内のＰＤＳＣＨシンボルの間にバッファされたデータを処理し、これらから比較的高い層のデータを抽出する。
【００４７】
ＬＴＥに基づく実装の一例において、各サブフレームは、最初の３つのシンボル上で送信されるＰＤＣＣＨおよび残りの１１のシンボル上で送信されるＰＤＳＣＨを有する１４のシンボル（タイムスロット）を含むとみなされる。さらに、ワイヤレス電気通信システムは、この例において、仮想キャリア動作をサポートする端末デバイスと通信するために定められた１．４ＭＨｚ（６つのリソースブロック）の予め確立された制限された周波数帯を有する２０ＭＨｚのシステム周波数帯にわたって動作するとみなされる。
【００４８】
上で説明したように、ＬＴＥなどのＯＦＤＭに基づくモバイル通信システムにおいて、ダウンリンクデータは、サブフレーム基準でサブフレーム上の異なるサブキャリア上で送信されるように動的に割り当てられる。したがって、サブフレーム毎において、ネットワークは、どのシンボル上のどのサブキャリアがどの端末へ関連するデータを含むかについて、信号で伝える（すなわちダウンリンクアロケーションシグナリング）。
【００４９】
図３からわかるように、従来のダウンリンクＬＴＥサブフレームにおいて、どのシンボルがどの端末へ関連するデータを有するかに関する情報は、サブフレームの第１のシンボル（１つ）またはシンボル（複数）の間のＰＤＣＣＨ上で送信される。
【００５０】
ＭＴＣカバレッジを改善するために仮想キャリアにおいて送信出力がブーストされるようにすることが提案されてきた。これは、ＭＴＣデバイスのかなりの割合が準最適なカバレッジを有する位置において導入されるとみなされる場合の実際的な提案である。
【００５１】
図５Ａは、狭帯仮想キャリア５０３がブーストされた送信出力で挿入された、図４におけるものと類似したサブフレームを説明する。図４におけるように、サブフレームは、上で議論したようにＰＣＦＩＣＨ、ＰＨＩＣＨおよびＰＤＣＣＨチャネルをサポートする制御領域５０２ならびにより高い層のデータを通信するための制限されたＰＤＳＣＨ領域５１０、５１２（例えば、ユーザープレーンデータおよび非物理層制御プレーンシグナリング）を含む。
【００５２】
図５Ｂは、図５Ａにおける切断面Ａ−Ａとして表現される、規定の時間における仮想キャリア外部の「通常」のＰＤＳＣＨ領域における相対送信出力を示す。ブーストされた仮想キャリア５０３および周囲のＰＤＳＣＨ領域５１０、５１２の間の送信出力における差Ｘは、ＭＴＣデバイスについてカバレッジを拡大させる。
【００５３】
図６は、ダウンリンク無線サブフレーム中の一対のリソースブロックにおけるリソースエレメントを説明する概略図を提供する。上述したように、サブフレームは典型的にリソースエレメントの３つのサブセットを含む：ユーザデータを含むリソースエレメントであるデータエレメント（ＰＤＳＣＨに対応）、制御情報を含む制御エレメント（ＰＤＣＣＨ、ＰＨＩＣＨおよび／またはＰＦＩＣＨに対応）およびチャネル推定に用いられるリファレンスエレメント（共通リファレンス信号−ＣＲＳ）。データエレメントは語「Ｄａｔａ」を含む矩形として、制御エレメントは文字「Ｃｎｔｒｌ」で、およびリファレンスエレメントは文字「ＣＲＳ」で示される。理解されるように、共通リファレンスシンボルは、サブフレームの各リソースブロック内の時間および周波数について予め定められた周期、位置において挿入されている。
【００５４】
図６における２つのリソースブロックは、仮想キャリア帯域幅におけるリソースブロックを現し、しかし、サブフレームの他の領域におけるリソースブロックは、類似の構成のリソースブロックを有している。
【００５５】
図７Ａは、所定の時間におけるサブフレームを通した断面を説明し、送信出力を垂直軸として、および周波数を水平軸として示す。通常のＰＤＳＣＨ領域７１０、７１２は、（単純化のため）１２のサブキャリア１ＲＢのみを占める狭帯仮想キャリア７０３を囲む。ＰＤＳＣＨ領域７１０、７１２および仮想キャリア領域７０３におけるデータリソースエレメント７０２およびリファレンス信号エレメント７０４は、全て同一の送信出力にて示されている。
【００５６】
図７Ｂは、仮想キャリア領域７０５におけるデータリソースエレメント７０６がＰＤＳＣＨ領域７１０、７１２のデータリソースエレメント７０２よりもより高い送信出力である、類似の断面を説明する。共通リファレンス信号７０４、７０４’は、これらがＰＤＳＣＨ領域７１０、７１２または仮想キャリア領域７０５内にあろうとなかろうと同一の送信出力のままである。
【００５７】
図７Ａにおいて説明される出力がブーストされていない場合、データおよびＣＲＳを搬送するリソースエレメントが実質的に同一の出力で送信される。
図７Ｂの出力をブーストした場合、データリソースエレメント７０６のみについて出力がブーストされることができる。仮想キャリア７０５におけるＣＲＳリソースエレメント７０４’については、これらがセル内において出力がブーストされた信号を全く必要としないチャネルを推定するために他のＵＥ１０２（これらがＭＴＣデバイスであろうと完全な受信ケイパビリティを有する一般的なＵＥであろうと）により受信され、使用されるであろうから（したがって、名「共通」リファレンス信号）、出力をブーストできない。
【００５８】
上述したように既知の共通リファレンス信号を獲得し、チャネル推定を行うことは、データ信号の復調の重要な部分である。ＣＲＳの受信した出力が低すぎる場合、データ信号について出力がブーストされているか（これらが図７Ｂにおけるものであるように）に関わらずＵＥはデータを正確に受信できないかもしれない。
【００５９】
パイロットまたはリファレンス信号の送信出力を変化させることについての制限は、ビーム形成の分野において知られている。共通リファレンス信号は、これらがある周波数において異なる出力を有することができないという同様の理由であまり大量にビーム形成できない。
【００６０】
ビーム形成において、ＵＥ固有リファレンス信号を挿入することは、既知のアプローチである（図８において文字「ＤＭＲＳ」−復調リファレンス信号を有する矩形として説明される）。これらの固有リファレンス信号については、データ信号とともに出力をブーストすることができる。これらのリファレンス信号は出力がブーストされたデータシグナルを受信するＵＥ１０２によりのみにより用いられるため、これらの存在は、セル内の他のＵＥに影響を与えないであろう。
【００６１】
図８は、狭帯域仮想キャリア８０５に仮想キャリア内のデータシンボル８０６の出力ブーストおよびユーザ固有リファレンスシンボル８０８の挿入を供するサブキャリアを含む複数のサブキャリアの相対送信出力を概略的に説明する。図７Ａおよび７Ｂについて、図８は、所定の時間におけるサブフレームを通した断面を説明し、送信出力を垂直軸として、および周波数を水平軸として示す。通常のＰＤＳＣＨ領域８１０、８１２は、やはり１２のサブキャリア１ＲＢのみを占める狭帯仮想キャリア８０５を囲む。ＰＤＳＣＨ領域８１０、８１２におけるデータ８０２およびリファレンス信号リソースエレメント８０４は、全て同一の送信出力にて示されており、仮想キャリア領域８０５におけるデータリソースエレメント８０６はＰＤＳＣＨ領域８１０、８１２のものよりも高い送信出力である一方で、共通リファレンス信号８０４’は、これらがＰＤＳＣＨ領域８１０、８１２において行うのと同一の送信出力のままである。選択されたデータリソースエレメントの位置において、共通リファレンス信号８０４’は、固有リファレンス信号８０８により補強される。固有リファレンス信号は、データリソースエレメント７０６と同一の（より高い）送信出力へ高められている。
【００６２】
固有リファレンスシンボルはデータリソースエレメントを置き換えるため、固有リファレンスシンボルの挿入への費用が存在する。さらに、これらは、出力がブーストされたリファレンス信号を必要とするＵＥ以外のあらゆるＵＥに対し追加の利益を提供しない。
【００６３】
ついに、ある閾値出力水準まで送信出力がブーストされたデータリソースエレメントに沿った（ブーストされていない）共通リファレンス信号がチャネル推定に十分であることが理解された。この閾値水準より低いと、データは、チャネル推定に必要とされる固有リファレンス信号の挿入なしに高出力で（カバレッジの拡大のため）送信されることができる。
【００６４】
この閾値出力水準は、送信されるリソースエレメントに適用される正確な変調および符号化方式（ＭＣＳ）に依存する。ＭＣＳは、チャネル推定におけるエラー耐性を有している。したがって、ＱＰＳＫなどのＭＣＳは、例えば６４ＱＡＭまたは１６ＱＡＭよりもエラーに対するより高い耐性があるチャネル推定処理につながる。以下の表１は、それぞれのＭＣＳを用いるチャネル推定におけるエラー耐性の異なる度合を反映した選択されたＭＣＳについての閾値出力水準の差異を説明する。
【００６５】
【表１】
0006336489.tif 000002
【００６６】
その結果として、固有リファレンス信号の挿入が有意に有利であろうかを決定することが有益である。この決定は、必要とされる出力ブーストの水準およびデータ信号に用いられる変調の種類に応じて行われる。
【００６７】
図９は、ユーザ固有リファレンス信号を挿入すべきかを決定するのにおけるインフラ設備の動作の例を示す。
【００６８】
必要とされる出力ブーストの水準が低い（すなわち、ＵＥがそばにあり、および共通リファレンス信号およびデータリソースエレメントの送信出力が十分に近い）場合およびデータについて用いられる変調がチャネル推定エラーに対してより耐性がある場合、ｅＮＢは、固有リファレンスシンボルを挿入しないことを選択し得る。これに対し、必要とされる出力ブーストの水準が高い場合、およびデータについて用いられる変調がチャネル推定エラーに対してより耐性がない場合、インフラ設備（例えばeＮＢ）は、出力ブーストの利得を完全に利用するために固有リファレンス信号を挿入すべきである。
【００６９】
ＵＥが、どのリファレンス信号がデータ信号の復調における使用のために利用可能であるかわかるように、固有リファレンスシンボル（ＤＭＲＳ）の存在は、出力ブーストが必要とされるＵＥ１０２に信号伝達する必要がある。出力ブーストの水準のシグナリングは、ＰＤＣＣＨシグナリングにおいて達成され得る。
【００７０】
インフラ設備は、まず、ＵＥへの送信に必要な出力ブーストの水準を決定する。加えて、データのための変調および符号化方式が決定される（ステップＳ９０５）。
【００７１】
表１のような表がステップＳ９０５において決定されたＭＣＳに対応する閾値出力水準値を抽出するのに参照される。次に、必要とされる出力ブーストの水準が決定されたＭＣＳについての閾値出力水準を超えるかが確定される（ステップＳ９１０）。
【００７２】
出力水準が各閾値を超える場合、インフラ設備は、固有リファレンス信号をより高い送信出力で挿入する（Ｓ９１５）：このより高い送信出力は、好都合には、出力ブーストデータリソースエレメントと実質的に同一の出力であり得る。
出力水準が各閾値を超えない場合、インフラ設備は、データリソースエレメントのみをブーストした送信出力で送信する（Ｓ９２０）。
【００７３】
最後に、この例において、インフラ設備は、固有リファレンス信号が挿入された事実を信号伝達する（Ｓ９３０）。同シグナリングは、好都合なことに、サブフレームグリッドのどこにこれらが挿入されているかおよび／またはこれらの送信出力水準がどれほどであるかを示す。次いでブーストされたデータチャネルＰＤＳＣＨは、（ブーストされた固有リファレンス信号）およびブーストされていない共通リファレンス信号とともに送信される。
【００７４】
読者は、代替の配置において、インフラ設備が適度な出力ブースト水準で把握される利益に関わらず、固有リファレンス信号を挿入することを選択し得ることを容易に理解するであろう。
【００７５】
共通リファレンス信号に加えての固有リファレンス信号の保証された存在は、さらなる検討をもたらす：リファレンス信号（の両方のタイプ）に信頼性がある場合、ＵＥは、さらなるリファレンスポイントの存在により、原理的により正確なチャネル推定を行うことができるべきであろう（共通リファレンス信号単独と比較して）。しかしながら、いくつかのリファレンスポイントが弱すぎる場合、そうするとこれらの信頼性のないリファレンスポイントの組み合わせは、総合のチャネル推定精度を、固有リファレンス信号のリファレンス信号単独を用いて達成されることができるよりも低い水準へ低下させ得る。
【００７６】
図１０において、どのようにユーザ機器（ＵＥ）が、出力ブースト水準に応じてチャネル推定を行うために、固有リファレンス信号単独または固有リファレンス信号および共通リファレンス信号の組み合わせを用いるかを決定するかの方法が説明される。
【００７７】
図１０は、チャネル推定を生成するためにユーザ固有リファレンス信号単独またはユーザ固有リファレンス信号および共通リファレンス信号の組み合わせを用いるかの決定におけるＵＥの動作を概略的に示す。
【００７８】
ここで、ＵＥは、データリソースエレメント送信において出力ブーストの水準を示すインフラ設備からのシグナリングを受け取る（ステップＳ１０１０）。
【００７９】
ＵＥは、次いで出力ブーストの水準を既定の閾値と比較する（ステップＳ１０２０）。出力ブーストの水準が既定の閾値以下にある場合、共通リファレンス信号（ＣＲＳ）が適切に信頼性のあるリファレンスポイントであることを表すとみなされ、およびチャネル推定プロセスは、チャネル推定の生成において共通および固有リファレンス信号の両方を使用する（ステップＳ１０２２）。
【００８０】
出力ブーストの水準が既定の閾値を超える場合、共通リファレンス信号（ＣＲＳ）がリファレンスポイントとして信頼性がないとみなされ、チャネル推定プロセスは、共通リファレンス信号を破棄し、チャネル推定の生成において固有リファレンス信号単独を使用する（ステップＳ１０２４）。
【００８１】
最後に、共通リファレンス信号が使用されても破棄されても、得られたチャネル推定は、ＵＥにより受信されたデータシンボル（ＰＤＳＣＨ）を復調するのに用いられる−ステップ１０３０。
【００８２】
別の実施において、ＵＥは、受信した共通リファレンス信号および固有リファレンス信号の出力水準を測定することにより独立して出力ブースト水準を決定し得る。したがって、ステップＳ１０１０は、受信した出力水準の相対差を決定し、共通リファレンス信号の情報から推定することにより出力ブーストの水準を決定する別のステップにより置き換えられ得る。
【００８３】
さらなる別の実施において、共通リファレンス信号および固有リファレンス信号の相対寄与は、二元の方式で決定されない。代わりに、チャネル推定を計算する際にそれぞれのリファレンス信号が互いに異なるように重みづけされ、重みは相対主力水準に応じて適用される。
【００８４】
熟練した読者は、以前の議論の多くが出力ブーストに関して割当られている一方で、本発明の様々な実施形態が、送信出力が受信するＵＥにおいて一定の出力水準を確保するために継続して調整される状況に等しく適用されることを理解するであろう。厳密に言えば、出力ブーストは、信号を送信するための（典型的に「到達するのが困難な」ＵＥへデータを送付するための試みにおける）送信出力の瞬間的な増加をいう；送信出力の連続的な調整は、出力調整の種類と考えられ得る。
【００８５】
以下の番号が付された項目は、さらなる本技術の側面および特徴例を提供する：
【００８６】
１．  ワイヤレス通信ネットワークから通信デバイスにおいてデータを受信する方法であって、該方法は：
ワイヤレスアクセスインターフェースを介して前記通信デバイスにおいて前記ワイヤレス通信ネットワークから送信されるデータシンボルを受信すること、前記ワイヤレスアクセスインターフェースは、時間において複数の時分割無線フレームへ分割されているシステム帯域幅にわたる複数の通信リソースエレメントを提供し、
前記ワイヤレスアクセスインターフェースが、前記システム帯域幅内において、好ましくは仮想キャリアを形成する第１の周波数帯域幅内においてインフラ設備により送信されるデータを表す信号を受信するためのケイパビリティが低減された通信デバイスへ、割当のための第１の周波数帯域幅内における通信リソースエレメントの第１の区分を提供すること、前記ケイパビリティが低減された通信デバイスはそれぞれが前記第１の周波数帯域幅より大きいまたは等しいが、システム帯域幅よりも小さい受信機帯域幅を有する、を有し、
ここで、データシンボルを受信することは、
１以上の無線フレームにおいてリソースエレメントの第１のサブセットからデータシンボルを受信すること、および
各無線フレームにおいてリソースエレメントの第２のサブセットから共通リファレンスシンボルを受信すること、を有し、共通リファレンスシンボルは第１の送信出力で送信され、および前記データシンボルは第２の送信出力で前記仮想キャリアを介して送信され、ならびにここで、前記方法はさらに、
前記第２の送信出力で前記仮想キャリアの前記リソースエレメントを介して送信された固有リファレンスシンボルを受信すること；
前記第２の送信出力および前記第１の送信出力の間における出力の差を決定すること、および
前記出力の差が実質的に閾値を超える場合、前記仮想キャリアから受信した前記固有リファレンスシンボルのみ用いてチャネル推定を生成すること、を有する、方法。
【００８７】
２．  前記仮想キャリア外部のデータシンボルは、前記第１の送信出力で送信される、項目１に記載の方法。
【００８８】
３．  前記出力の差が前記閾値を超えない場合、前記共通リファレンスシンボルおよび前記固有リファレンスシンボルの両方を用いてチャネル推定を生成し、その結果共通リファレンスシンボル単独を用いた前記チャネル推定手順と比較して前記チャネル推定を改善する、項目１または項目２に記載の方法。
【００８９】
４．前記チャネル推定を生成するステップは、各シンボル中の相対送信出力に応じて異なるように前記共通リファレンスシンボルおよび前記固有リファレンスシンボルに重みづけすることを含む、項目３に記載の方法。
【００９０】
５．  前記送信出力の差は、前記仮想キャリア内における送信出力の瞬間的な増加に起因し、その結果前記送信出力が特定の通信デバイスについてブーストされる、任意の前述の項目に記載の方法。
【００９１】
６．  ワイヤレス通信ネットワークの部分を形成するインフラ設備から受信するデータからチャネル推定を生成するための通信デバイスであって、該デバイスは：
ワイヤレスアクセスインターフェースを介してデータを受信するために動作する受信機ユニット、前記ワイヤレスアクセスインターフェースは時間で分割されて複数の時分割無線フレームを形成しているシステム帯域幅にわたる複数の通信リソースエレメントを提供し、および
前記システム帯域幅内において前記受信機ユニットが、好ましくは仮想キャリアを形成する第１の周波数帯域幅内において前記インフラ設備により送信されるデータを表す信号を受信するためのケイパビリティが低減された通信デバイスへの、割当のための前記第１の周波数帯域幅内における通信リソースエレメントの第１の区分を受信するように制御するように構成されたコントローラ、を有し、前記ケイパビリティが低減された通信デバイスはそれぞれが前記第１の周波数帯域幅より大きいまたは等しいが、システム帯域幅よりも小さい受信機帯域幅を有し、
ここで、前記コントローラは、前記受信機ユニットと組み合わせて
１以上の前記無線フレームにおける前記リソースエレメントの第１のサブセットにおけるデータシンボルを受信し、および
各無線フレームにおける前記リソースエレメントの第２のサブセットにおける共通リファレンスシンボルを受信するように構成されており、前記第２のサブセットは第１の送信出力を有し；ならびに
前記仮想キャリアにおける前記データシンボルは、第２の送信出力で送信され、
前記コントローラは、前記受信機ユニットと組み合わせてさらに、前記仮想キャリアの前記リソースエレメントにおいて前記第２の送信出力で送信される固有リファレンスシンボルを受信するように構成されており；ならびに
前記コントローラは、さらに、前記第２の送信出力および前記第１の送信出力の間における出力の差を決定するように、および前記出力の差が実質的に閾値を超える場合、前記固有リファレンスシンボルのみを用いて第１の区分内の周波数についてのチャネル推定を生成するように構成されている、通信デバイス。
【００９２】
参考文献
［１］ＥＴＳＩ  ＴＳ  １２２  ３６８  Ｖ１０．５３０（２０１１−０７）／３ＧＰＰ  ＴＳ  ２２．３６８  バージョン  １０.５．０  リリース１０）
［２］英国特許出願１１０１９７０．０
［３］英国特許出願１１０１９８１．７
［４］英国特許出願１１０１９６６．８
［５］英国特許出願１１０１９８３．３
［６］英国特許出願１１０１８５３．８
［７］英国特許出願１１０１９８２．５
［８］英国特許出願１１０１９８０．９
［９］英国特許出願１１０１９７２．６
【図１Ａ】
0006336489.tif 000003
【図１Ｂ】
0006336489.tif 000004
【図１Ｃ】
0006336489.tif 000005
【図２】
0006336489.tif 000006
【図３】
0006336489.tif 000007
【図４】
0006336489.tif 000008
【図５Ａ】
0006336489.tif 000009
【図５Ｂ】
0006336489.tif 000010
【図６】
0006336489.tif 000011
【図７Ａ】
0006336489.tif 000012
【図７Ｂ】
0006336489.tif 000013
【図８】
0006336489.tif 000014
【図９】
0006336489.tif 000015
【図１０】
0006336489.tif 000016